(57)【特許請求の範囲】
【請求項１】
管理対象物の物理量の変化を電気量の変化として検出するセンサと、
当該センサの検出値から上記管理対象物の物理量を特定する処理部と、
当該処理部で特定した上記管理対象物の物理量を送信するアンテナとを備え、
上記処理部が、質問器からの質問に応じて、電気量の値を段階的に変更させつつ上記検出値と比較し、当該電気量の値が当該検出値と一致し又は超えたときその電気量を基に上記物理量を特定することを特徴とするRFIDタグ。
【請求項２】
請求項１に記載のRFIDタグにおいて、
上記物理量が管理対象物の重量であって、上記センサが上記管理対象物の重量に応じて変化する圧力を電気量として検出する重量センサであり、上記処理部が、質問器からの質問に応じて、電気量の値を段階的に変更させつつ上記重量センサの検出値と比較して、上記管理対象物の重さ、その重さの変化又は上記管理対象物が持ち上げられたことを検出することを特徴とするRFIDタグ。
【請求項３】
請求項１又は２に記載のRFIDタグにおいて、
上記処理部が、上記アンテナを介して外部から電源の供給を受けることを特徴とするRFIDタグ。
【請求項４】
請求項１ないし３のいずれか１項に記載のRFIDタグにおいて、
上記管理対象物が、ビンに入った錠剤や棚に積まれた本や商品等の集合体であることを特徴とするRFIDタグ。
【請求項５】
請求項１に記載のRFIDタグにおいて、
上記センサが、上記管理対象物の温度の変化に応じて変化する感熱型の抵抗を備えて構成されたことを特徴とするRFIDタグ。
【請求項６】
請求項２に記載のRFIDタグにおいて、
上記重量センサが、上記管理対象物の重量のアナログ的変化に応じて変化する圧力を抵抗値の変化として検出する感圧導電ゴムを備えて構成されたことを特徴とするRFIDタグ。
【請求項７】
請求項２ないし４のいずれか１項に記載のRFIDタグにおいて、
上記処理部が、上記管理対象物の全重量又は重量の変化分を特定することを特徴とするRFIDタグ。
【請求項８】
請求項２ないし４のいずれか１項に記載のRFIDタグにおいて、
上記処理部が、複数個の固体の集合体からなる上記管理対象物の全重量を測定し、当該全重量と上記固体１個あたりの重量とから上記固体の個数を算出することを特徴とするRFIDタグ。
【請求項９】
請求項１ないし８のいずれか１項に記載のRFIDタグにおいて、
上記処理部が、個体識別のための可視表示手段を接続するためのデジタルI/Oを備えたことを特徴とするRFIDタグ。
【請求項１０】
管理対象物を収納または支持する収納支持手段と、当該収納支持手段に取り付けられたRFIDタグと、当該RFIDタグとの間で無線で情報のやり取りをする質問手段と、当該質問手段を介して上記RFIDタグとの間で管理情報のやり取り及び電源の供給をする管理手段とを備えた非接触データキャリアシステムであって、
上記RFIDタグとして、請求項１ないし９のいずれか1項に記載のRFIDタグを備えたことを特徴とする非接触データキャリアシステム。
【請求項１１】
請求項１０に記載の非接触データキャリアシステムにおいて、
上記管理手段が、上記RFIDタグから上記管理対象物の変化量が設定値を越える信号が送信されたとき、異常と判断することを特徴とする非接触データキャリアシステム。
【請求項１２】
請求項１０または１１に記載の非接触データキャリアシステムにおいて、
上記管理手段が、複数のRFIDタグから同時に信号送信があった場合に、異常と判断することを特徴とする非接触データキャリアシステム。
【請求項１３】
請求項１０ないし１２のいずれか１項に記載の非接触データキャリアシステムにおいて、
上記管理手段が、上記収納支持手段を持ち上げるときに生じる重量なしの信号をカウントすることを特徴とする非接触データキャリアシステム。
【発明の詳細な説明】
【技術分野】
【０００１】
この発明は、薬品・薬物・危険物の管理、商品棚管理、商品販売管理等の、管理対象物の在庫量の違いで重量が変化する態様のものの管理に用いて好適なRFIDタグ及び非接触データキャリアシステムに関するものである。
【背景技術】
【０００２】
例えば薬品の場合、一般に図２及び図３に示すような態様で管理される。図２は従来から一般的に行われている薬品の管理及び計量イメージを示す模式図、図３は従来のRFIDタグを利用した計量イメージを示す模式図である。
【０００３】
図２中の１は管理棚である。この管理棚１には薬品ビン２が複数保管されている。図中の３は電子ハカリである。この電子ハカリ３で薬品ビン２の重量を計って薬品の量を管理している。
【０００４】
通常、管理棚１が設置された部屋は、ロックされており、RFIDカード等でロックを解除して出入りするシステムになっている。
【０００５】
薬品を持ち出す場合は、RFIDカード等でロックを解除して部屋の中に入り、薬品ビン２を管理棚１から取り出して電子ハカリ３に載せ、薬品を必要量だけ取り出した後の薬品ビン２を計量して薬品の量を管理している。
【０００６】
薬品ビン２には、図３に示すように、RFID４が貼られている。このRFID４は、メモリを内蔵しており、このメモリに、必要な情報（一般的には、年月日、名前、重量など）が書き込まれる。図３中の５はアンテナである。アンテナ５は、RFID４との間で、情報の送受信を行う。６はＲ／Ｗ（リーダーライター）である。Ｒ／Ｗ６はアンテナ５に接続され、RFID４との間で情報の送受信をして、RFID４内のメモリに記録された情報を読み取り、また必要な情報をメモリに書き込む。７は管理パソコンである。管理パソコン７は、電子ハカリ３からの計量データを取り込み、Ｒ／Ｗ６を制御してRFID４のメモリに上記計量データを書き込む。
【０００７】
薬品ビン２に貼られたRFID４に、計量データを書き込んで管理する例を以下に示す。
【０００８】
管理棚１から所望の薬品ビン２を取り出し、その薬品ビン２から必要量の薬品を取り出して電子ハカリ３に載せ、薬品を取り出した後の薬品ビン２を計量する。電子ハカリ３は、計量した薬品ビン２の計量データを管理パソコン７に送信する。そして、管理パソコン７は、Ｒ／Ｗ６を制御して上記計量データを、薬品ビン２に貼られたRFID４のメモリに書き込む。即ち、アンテナ５を通して、薬品ビン２に貼られたRFID４のメモリに、薬品を取り出した年月日、名前、重量などが書き込まれる。
【０００９】
次いで、薬品ビン２を元に戻し、薬品ビン２から取り出した薬品を部屋の外へ持ち出す。
【００１０】
この場合、誰が薬品を持ち出したかは、個人が持っているRFIDカードを使ってドアを通過した時に、そのRFIDカードの識別情報から把握することができる。
【００１１】
この類の従来例としては、特許文献１、２に記載のものがある。
【特許文献１】特開２０００−２８３８３６号公報
【特許文献１】特開２００１−２８９７０５号公報
【発明の開示】
【発明が解決しようとする課題】
【００１２】
しかしながら、上記従来の管理方法では、取り扱いに注意を要する薬品、劇薬などに対して、十分な安全性を確保することができない。例えば、薬品ビン２をまるごと無断で持ち出した場合は、管理情報が全く残らないため、その消息をつかむことは不可能である。即ち、管理棚１から薬品ビン２が盗難されたのか、誰かが一時的に持ち出したのか全く分からない。
【００１３】
また、管理棚１に収納される薬品ビン２は通常その置き場所が予め決められているが、薬を取りに来た者が薬品ビン２を戻す場所を間違えた場合は、その薬品ビン２が管理棚１内のどこにあるのか判りにくくなってしまう。この場合、急ぎの時などに必要な薬品ビン２が見つからないという事態が起こり得る。決められた数種類の薬品ビン２が管理棚１の決められた場所に保管されるようになっている場合に、決められた場所に決められた薬品ビン２がないと、薬品を取りに来た者が混乱する。
【課題を解決するための手段】
【００１４】
上記課題を解決するために、本発明のRFIDタグは、管理対象物の物理量の変化を電気量の変化として検出するセンサと、当該センサの検出値から上記管理対象物の物理量を特定する処理部と、当該処理部で特定した上記管理対象物の物理量を送信するアンテナとを備え、上記処理部が、質問器からの質問に応じて、電気量の値を段階的に変更させつつ上記検出値と比較し、当該電気量の値が当該検出値と一致し又は超えたときその電気量を基に上記物理量を特定することを特徴とする。
【００１５】
上記物理量は例えば管理対象物の重量であって、上記センサは例えば上記管理対象物の重量に応じて変化する圧力を電気量として検出する重量センサであり、上記処理部が、質問器からの質問に応じて、電気量の値を段階的に変更させつつ上記重量センサの検出値と比較して、上記管理対象物の重さ、その重さの変化又は上記管理対象物が持ち上げられたことを検出することを特徴とする。
【００１６】
また、非接触データキャリアシステムは、RFIDタグと、当該RFIDタグとの間で無線で情報のやり取りをする質問手段と、当該質問手段を介して上記RFIDタグとの間で管理情報のやり取り及び電源の供給をする管理手段を備えた非接触データキャリアシステムであって、この非接触データキャリアシステムに用いるRFIDタグとして、上記RFIDタグを備えたことを特徴とする。
【発明の効果】
【００１７】
上記RFIDタグでは、上記処理部が上記重量センサの検出値から管理対象物の重量等を特定してその重量等の情報をアンテナで送信するため、当該RFIDタグが貼られたビン等に収納した在庫量を重量等の変化として、非接触で検出することができる。
【００１８】
また、非接触データキャリアシステムでは、上記RFIDタグを用いるので、当該RFIDタグが貼られたビン等に収納した在庫量等の物理量を重量等の変化によって管理することができる。
【発明を実施するための最良の形態】
【００１９】
次に、本発明の実施形態について添付図面を基に説明する。
【００２０】
ビンに入った薬品等は、その使用量に応じて重量が変化する。工場での部品等のワーク、販売店での本や箱入り商品等の在庫品は、その在庫数に応じて重量が変化する。例えば、商品、本、お土産等の店頭展示品は、その個数に応じて重量が変化する。複数の棚に多数の在庫品が載置された倉庫等においては、各棚板に載置された在庫品の個数に応じて重量が変化する。このため、薬品業界、病院、危険物取り扱い店、一般販売店、高級品販売店、製造工場、保管倉庫など各種産業において、在庫品の個数の変化を重量の変化として把握することで在庫を管理することができる。本願発明は、このような態様での管理対象物（薬品、ワーク、商品、本、お土産等）の在庫管理に好適なRFIDタグ及び非接触データキャリアシステムを提供するものである。このシステムによって、ビンに入った錠剤や棚に積まれた本や商品等の集合体を管理する。
【００２１】
このため、本発明は、アナログ信号のセンシング機能を持ったRFIDに重量センサを組み合わせて一体化し、電池レスでかつ非接触でデータを収集できるRFIDを用いて上記管理を行うようにしたものである。これにより、在庫数などで数量が重要なパラメータの場合に、その数を数えるのでなく、その全体重量から数量を計算して、在庫管理をするものである。以下、本発明の具体的実施形態について説明する。
【００２２】
[第1実施形態]
以下、本発明の第１実施形態について説明する。本実施形態では、薬品管理用の非接触データキャリアシステムについて説明する。ここではビンに入った錠剤の集合体が管理対象物である。
【００２３】
薬品管理用の非接触データキャリアシステム１０は図１に示すように、RFIDタグ１１と、質問器１２と、管理パソコン１３とから構成されている。
【００２４】
RFIDタグ１１は、薬品ビン１５の重量を測定して内部に収納した薬品の量を重量で管理するためのタグである。RFIDタグ１１は、図４〜７に示すように、重量センサ１６と、処理部１７と、アンテナ１８とから構成されている。
【００２５】
重量センサ１６は、薬品ビン１５（管理対象物である薬品を収納した収納支持手段としての薬品ビン）の重量に応じて変化する圧力を電気量として検出するためのセンサである。重量センサ１６は、図４及び図５に示すように、薬品ビン１５の底面に取り付けられている。この重量センサ１６の具体的な構成を図６に示す。なおここでは、重量センサ１６が薬品ビン１５の底面に、処理部１７及びアンテナ１８が薬品ビン１５の側面に配置された例である。また、薬品ビン１５の形状はいろいろあり（図１参照）、図６では図４及び図５と異なる形状の薬品ビン１５を記載している。
【００２６】
重量センサ１６は、センサ固定板２０、バネ質材２１、センサ板台２２および重量センサ材２３より構成されている。センサ固定板２０は、重量センサ１６を薬品ビン１５の底面に固定するための部材である。バネ質材２１は、直接的にセンサ板台２２を、間接的に重量センサ材２３を薬品ビン１５に対して弾性的に支持するための部材である。バネ質材２１は、バネ性を有する合成樹脂等の材料で構成される。センサ板台２２は重量センサ材２３を支持する板台である。センサ板台２２は、バネ質材２１によって薬品ビン１５側に弾性的に支持されている。これにより、バネ質材２１は、薬品ビン１５を棚板部３９に載置するときに、重量センサ材２３が棚板部３９に接触する衝撃を吸収して重量センサ材２３全体に圧力が分散するように、重量センサ材２３を弾性的に支持している。
【００２７】
重量センサ材２３は、薬品ビン１５の重量を圧力の変化として測定するための部材である。重量センサ材２３としては幾つかの種類があるが、ここではシート状の感圧導電ゴムを使用している。即ち、重量センサ材２３は、管理対象物である薬品ビン１５内の全薬品の重量に応じて変化する圧力及び、必要量の薬品を取り出すことで変化する重量のアナログ的変化に応じて変化する圧力を、抵抗値の変化として検出する感圧導電ゴムで構成されている。この感圧導電ゴムは、圧力の変化に応じて抵抗値が変化する性質を持つゴムである。即ち、薬品ビン１５の内部の薬の量に応じて重量が変化し、この重量の変化に応じて抵抗値が変化する。感圧導電ゴムに加える圧力をアナログ的に変化させると、内部の抵抗値がアナログ的に変化すると言う特性を備えている。このため、感圧導電ゴムに薬品ビン１５を載せて薬品ビン１５内の薬品を任意の個数ずつ取り出すと、それに応じて感圧導電ゴムの抵抗値が変化する。そして、この抵抗値の変化から重量（薬品ビン１５の内部の薬の量）の変化を特定できる。重量センサ１６は、この特性を利用したものである。
【００２８】
処理部１７は、重量センサ１６の検出値から管理対象物である薬品ビン１５の重量を特定するための処理部である。処理部１７は、種々の態様で薬品ビン１５に取り付けられる。具体的には、図４に示すように、薬品ビン１５の底面に重量センサ１６に重ねて取り付けたり、図５に示すように、薬品ビン１５の側面に取り付けたりする。この処理部１７は、RFID送受信部２５と、不揮発性メモリ２６と、アナログインタフェース部２７と、デジタルI/O２８とから構成されている。
【００２９】
RFID送受信部２５は、ＣＰＵや無線部などを有して、送受信等の処理を実行する部分である。RFID送受信部２５は、アンテナ１８が捕捉した無線信号をデジタル信号に復調して、そのデジタル信号を解析し、得られた質問器１２からの質問に応じた処理を実行し、応答信号を形成し、その応答信号を変調してアンテナ１８から返信させるものである。ここで受ける質問器１２からの質問信号は、薬品ビン１５の重量である。具体的な質問内容としては、薬品ビン１５の全体の重量や、重量の変化分、重量がマイナス（薬品ビン１５を持ち上げたときの値）になった回数がある。薬品ビン１５の全体重量の場合は、管理パソコン１３で同じ薬品ビン１５に対して、毎回、薬品ビン１５の全体重量を記録しておき、前回の全体重量から今回の全体重量を差し引いてその変化分を見る。
【００３０】
質問内容が重量の変化分の場合は、不揮発性メモリ２６に記録された前回の全体重量を今回の全体重量から差し引いて重量の変化分を算出し、その値を送信する。
【００３１】
重量がマイナス（薬品ビン１５を持ち上げたときの値）になった回数の場合は、重量センサ１６での検出値がマイナスになる度にRFID送受信部２５がその値を送信して、どの薬品ビン１５が手にとって持ち上げられたか否か、何回持ち上げられたかを見る。なお、重量がマイナスになった場合だけでなく、持ち上げることで送受信できなくなる状態を検出するようにしてもよい。
【００３２】
また、RFID送受信部２５は、アンテナ１８が捕捉した無線信号から、当該RFID送受信部２５や不揮発性メモリ２６等が動作する際に必要となる電源を得る機能を備えた電源部(図示せず)を有し、各部に動作電源として供給している。
【００３３】
不揮発性メモリ２６は、例えば、ＥＥＰＲＯＭやＦｅＲＡＭなどでなり、自己の薬品ビン１５に割り当てられたＩＤなどのデータや、RFID送受信部２５が実行するプログラム等を格納している。さらに、上記質問内容（薬品ビン１５の全体の重量、重量の変化分、重量がマイナスになった回数等）に応じて必要な数値をRFID送受信部２５の指示に応じて記録するようになっている。また、管理情報を記録する場合もある。この管理情報としては、いつ、だれが、どれだけの量の薬品を取り出したか等である。
【００３４】
アナログインタフェース部２７は、例えば、コンパレータ回路又はＡ／Ｄコンバータ回路などでなり、重量センサ１６の抵抗値のアナログ的変化をデジタル量に変換する。処理部１７と重量センサ１６の重量センサ材２３とはセンサ接続線２９で接続されている。アナログインタフェース部２７の一例を図８に示す。このアナログインタフェース部２７は主に、コンパレータ３１と、抵抗３２とからなり、重量センサ１６に接続されている。そして、重量センサ１６にアナログインタフェース部２７側からその抵抗３２を介して電流を流し、コンパレータ３１で重量センサ材２３の両端に発生する電圧を測定する。具体的には、RFID送受信部２５からの指示に基づき、コンパレータ３１が閾値Ｖrefの値を段階的に変更しつつ入力電圧Ｖinとの比較を行う。そして、コンパレータ３１が、入力電圧Ｖinの方が閾値Ｖrefより大きいときに１を出力するものであれば、閾値Ｖrefの値を大きくしていく場合は出力の１→０の切り替えを、閾値Ｖrefの値を小さくしていく場合は出力の０→１の切り替えを、RFID送受信部２５で検出することで、その際の閾値Ｖrefの値に基づき重量センサ材２３の両端に発生する電圧を判定する。なお、このような構成とすると、極めて小電力でアナログインタフェース部２７を駆動することが可能となり、アンテナ１８が捕捉した無線信号から得られる電力のみを利用した重量センサ１６の測定が可能となる。
【００３５】
このとき、薬品ビン１５の重さが変化すれば、抵抗値が変化して電圧が変化する。このため、電圧の変化から重量センサ材２３の抵抗値を求め、重量に換算する。これを式で表すと次のようになる。
【００３６】
Ｖｉｎ＝（Ｖｄｄ／（ｒ１＋Ｒ））×Ｒ
故に、Ｒは
Ｒ＝（ｒ１×Ｖｉｎ）／（Ｖｄｄ−Ｖｉｎ）
となり、抵抗値が求まる。
【００３７】
これにより、あらかじめ抵抗値対重量で換算された値から重量が求まることになる。
【００３８】
抵抗値対重量の換算の態様としては、薬品ビン１５内に薬品が全く無い状態での重量を０に設定しておく。即ち、空の薬品ビン１５自体と、RFIDタグ１１（重量センサ１６、処理部１７およびアンテナ１８）とを合わせた重量を０に設定する。このため、薬品ビン１５を持ち上げたときは、マイナスの値になる。これにより、薬品ビン１５に薬品を入れて棚に置くと、薬品の重さ分を検出できる。
【００３９】
なお、上記０設定の態様としては、薬品ビン１５内に薬品が全く無い状態での重量を０に設定して薬品自体の重量による電圧の変化を検出する場合以外に、薬品ビン１５自体とRFIDタグ１１と薬品の全体の重量による電圧の変化を検出してもよい。また、これらの設定をせずに、直前の重量から今回の重量を差し引いて重量変化分を検出しても良い。
【００４０】
デジタルI/O２８は、外部拡張素子に接続するための素子である。ここでは、デジタルI/O２８には識別ランプ(図示せず)が接続される。識別ランプとしては、ＬＥＤ等が用いられる。管理パソコン１３から所望の薬品ビン１５を特定するＩＤと識別ランプ点灯指令とを発信されたときに、そのＩＤを割り当てられた薬品ビン１５のRFID送受信部２５が、その識別ランプ点灯指令及び電源供給を受けて、デジタルI/O２８を介して識別ランプを点灯させ、所望の薬品ビン１５を速やかに特定できるようにする。
【００４１】
アンテナ１８は、種々の態様で薬品ビン１５に取り付けられる。具体的には、図４に示すように、薬品ビン１５の底面に重量センサ１６に重ねて取り付けたり、図５に示すように、薬品ビン１５の側面に取り付けたりする。アンテナ１８は、送受共用アンテナであり、質問器１２からの質問情報を受信し、その質問に対する応答を送信する。さらに、質問器１２からの電源の供給を受ける機能も備えている。
【００４２】
質問器１２は、RFIDタグ１１との間で無線で情報のやり取りをする質問手段である。この質問器１２は、Ｒ／Ｗ３５と、アンテナスイッチ３６と、アンテナ３７と、管理棚３８とから構成されている。Ｒ／Ｗ３５は、薬品ビン１５に対して情報の書き込み処理及び読み取り処理をするための装置である。アンテナスイッチ３６は、複数のアンテナ３７のうち、測定対象の薬品ビン１５のある位置のアンテナ３７に切り替えるためのスイッチである。アンテナ３７は、薬品ビン１５に取り付けられたアンテナ３７との間で情報や電力のやり取りをするためのアンテナである。このアンテナ３７は、後述する管理棚３８の棚板部３９に貼り付けられている。このアンテナ３７は、その上に載置される薬品ビン１５側のアンテナ１８との関係で、最も効率的に送受信及び電力供給ができる構成で棚板部３９に貼り付けられている。
【００４３】
管理棚３８は、薬品ビン１５を保管して管理するための棚である。管理棚３８は、複数段の棚板部３９によって構成されている。この棚板部３９は、保管される薬品ビン１５の数、大きさ等に応じた枚数及び寸法に設定され、薬品ビン１５の高さに応じた高さに配設されている。ここでは、３枚の棚板部３９を備えて３段の管理棚３８が構成されている。
【００４４】
管理パソコン１３は、質問器１２を介してRFIDタグ１１との間で管理情報のやり取り及び電源の供給をする管理手段である。管理パソコン１３は、質問器１２を起動して、質問器１２及びRFIDタグ１１間の通信及び電源供給を制御して、各薬品ビン１５の情報を保管、管理する。
【００４５】
次に、上述した薬品管理用の非接触データキャリアシステムの動作を説明する。
【００４６】
管理パソコン１３によって質問器１２が制御されて、各薬品ビン１５のRFIDタグ１１に周期的に重量を問う信号を送信する。具体的には、Ｒ／Ｗ３５を操作し、アンテナスイッチ３６で質問する対象の薬品ビン１５があるアンテナ３７に切り換えて、管理棚３８内の薬品ビン１５に質問信号を送信してアクセスする。
【００４７】
薬品ビン１５では、RFIDタグ１１のアンテナ１８が、質問器１２側のアンテナ３７から電力を受け、質問内容である薬品ビン１５の重量等を問う信号を受ける。次いで、RFID送受信部２５が、重量センサ１６の電圧を測定して重量に換算し、その重量情報を質問器１２に送信する。このとき、薬品ビン１５の重量等（薬品ビン１５の全重量、重量の変化分、重量がマイナスになった回数）を常時測定して不揮発性メモリ２６に記録しておく場合もあり、この場合は不揮発性メモリ２６内の記録情報が送信される。なお、電力は常時供給されている場合もあり、定期的に供給される場合もある。重量がマイナスになった回数を監視する場合等のように、常時監視する場合は、電力も常時供給される。
【００４８】
これにより得た重量等の情報は管理パソコン１３で管理される。
【００４９】
この監視は、全ての薬品ビン１５に対して周期的に行われ、各薬品ビン１５の状態が管理パソコン１３内に記録される。薬品ビン１５から薬品を取り出す場合は、薬品ビン１５を管理棚３８から持ち出すため、薬品ビン１５の重量がマイナスになり、通信圏外になるため、この状態を受けて、薬品ビン１５の重量を測定するようにしてもよい。
【００５０】
そして、薬品ビン１５の重量の変化している場合は、その妥当性を直ちに検証する。このとき、薬品ビン１５の重量の変化分が予め決められた値を超えている場合は、その薬品を必要以上に取り出したことになり、異常と判断して管理パソコン１３が警告等を発する。これにより、薬品の誤用、乱用、盗難等を防止する。
【００５１】
また、２つ以上の薬品ビン１５から同時にマイナスの信号（薬品ビン１５が持ち上げられた信号）が送信されたときは、２つ以上の薬品ビン１５が同時に持ち上げられたことになり、盗難のおそれがあるため、異常と判断して管理パソコン１３が警告等を発する。これにより、薬品の盗難等を防止する。
【００５２】
また、多数の薬品ビン１５が管理棚３８内に収納されている場合は、所望の薬品ビン１５がどこにあるか分からない場合もある。この場合は、その薬品ビン１５のＩＤを管理パソコン１３に入力する。管理パソコン１３は、このＩＤに基づいて所望の薬品ビン１５に電力を供給して、識別ランプ点灯指令を発信する。これにより、そのＩＤが割り当てられた薬品ビン１５のRFID送受信部２５が、その識別ランプ点灯指令及び電源供給を受けて、デジタルI/O２８を介して識別ランプを点灯させる。これにより、管理棚３８内に収納された複数の薬品ビン１５から、識別ランプを目印にして目的の薬品ビン１５を探す。これにより、所望の薬品ビン１５を速やかに特定することができる。
【００５３】
これにより、薬品ビン１５の位置、薬品ビン１５の重量（内部に薬品の数）を最新状態に更新して記録している。
【００５４】
以上のように、取り扱いに注意を要する薬品、劇薬などに対して、薬品ビン１５の重量を常時監視することで、薬品の誤用、乱用、盗難等を確実に防止することができる。即ち、決められた人が決められた量だけ取り出したか否か等がすぐに判定でき、妥当でない場合には即対応できる効果がある。即判定できるため、誤使用防止にも効果がある。
【００５５】
また、アンテナ１８、３７で電磁波エネルギーを利用して電力を供給するため、重量センサ１６を電池レスで接続できる。これにより、電池交換が不要となり、完全に密閉した状態でも使用できる。また、電池交換等のメンテナンスが必要なく、電池代などのランニングコストが不要となる。
【００５６】
薬品ビン１５に重量センサ１６と処理部１７を具備しているので、ワイヤレスで可搬性が損なわれない効果がある。
【００５７】
重量センサ１６で薬品ビン１５の重量を測定して内部に薬品の数を管理するため、薬品ビン１５の形状を問わず、あらゆる形状の薬品ビン１５を管理することができる。
【００５８】
管理棚３８にある薬品ビン１５を常時監視できるので、在庫品およびその量について、常に最新情報を得ることができる。
【００５９】
処理部１７内には、不揮発性メモリ２６を有しているため、管理情報を容易に記憶でき、さらに使用上の注意事項などを記憶することができ、誤使用を防止できる。
【００６０】
また、薬品ビン１５をワイヤレス管理しているため、アンテナの検知エリア内に置いておけばよく、厳密な保管位置を定めなくても良いという効果もある。
【００６１】
[第２実施形態]
次に、本発明の第２実施形態について説明する。本実施形態の非接触データキャリアシステムの構成は、上述した第１実施形態の非接触データキャリアシステムとほぼ同様であるため、ここでは同一部材には同一符号を付してその説明を省略する。
【００６２】
本実施形態は、通信エリアの拡大を図ったものである。薬品ビン１５のRFIDタグ１１の通信エリアを拡大するために、薬品ビン１５に誘導アンテナを付加したものである。具体的には、図９に示すように薬品ビン１５の側面に誘導アンテナ４１を配置する例と、図１０に示すように薬品ビン１５の上面、例えば蓋などに誘導アンテナ４１を配置する例がある。
【００６３】
また、図１１及び図１２に示すように、薬品ビン１５の側面に配置した中継型誘導アンテナ４２と、誘導アンテナ間接続線４３で接続されたセンサ固定板２０固定の誘導アンテナ４４とを備えている。また、薬品ビン１５の底面にも、必要に応じてアンテナを配置する。なお、誘導アンテナは大きいほど良く、エリア拡大に貢献する。
【００６４】
質問器１２側のアンテナ３７も、必要に応じて、管理棚３８の棚板部３９の上側面、下側面、管理棚３８の側壁、背面壁等に適宜取り付けられる。管理室の天井等に取り付けられる場合もある。
【００６５】
これにより、アンテナ１８からの電磁波を誘導アンテナ４１等で受けてRFIDタグ１１に再放射し、通信エリアの拡大を行う。
【００６６】
このように構成することで、上記第１実施形態と同様の作用、効果を奏すると共に、通信エリアが拡大して、管理室のどこに薬品ビン１５を置いても、質問器１２との間で通信でき、広い範囲で薬品ビン１５を把握できるようになる。
【００６７】
また、RFIDタグ１１のアンテナ１８等は薬品ビン１５の大きさによって制限されるが、誘導アンテナを設けることで通信エリアの拡大を図ることができる。
【００６８】
［第３実施形態］
次に、本発明の第３実施形態について説明する。本実施形態の非接触データキャリアシステムの構成は、上述した第１実施形態の非接触データキャリアシステムとほぼ同様であるため、ここでは同一部材には同一符号を付してその説明を省略する。
【００６９】
本実施形態は、図１３及び図１４に示すように、識別ランプとしてのＬＥＤ表示器４６と、そのスイッチ４７とを備えたものである。スイッチ４７は、確認応答などの用途に使用するスイッチである。管理パソコン１３で選択された薬品ビン１５のＬＥＤ表示器４６が点灯すると、それに対する確認応答などのためにスイッチ４７を押して、確認信号を管理パソコン１３に送信する。また、ＬＥＤ表示器４６の表示パターンを設定するためのスイッチとして使用することもできる。即ち、スイッチ４７を押して、点灯、点滅、消灯等の表示パターンを変更できるようにしても良い。
【００７０】
これらＬＥＤ表示器４６及びスイッチ４７は、薬品ビン１５の側面のラベル４８（処理部１７）にそれぞれ設けられている。さらに、これらはデジタルI/O２８にそれぞれ接続されている。
【００７１】
管理パソコン１３から所望の薬品ビン１５を選択すると、当該薬品ビン１５のＬＥＤ表示器４６が点滅する。これにより、管理棚のどこに必要な薬品ビン１５があるかを容易に検索でき、検索工数、時間を削減できる効果がある。これにより、薬品ビン１５の保管場所を厳密に管理する必要が無くなる。
【００７２】
また、応答のためのスイッチ４７を設けたので、確実な指示ができる。
【００７３】
［第４実施形態］
次に、本発明の第４実施形態について説明する。本実施形態の非接触データキャリアシステムの構成は、上述した第１実施形態の非接触データキャリアシステムとほぼ同様であるため、ここでは同一部材には同一符号を付してその説明を省略する。
【００７４】
本実施形態は、図１５に示すように、非接触データキャリアシステムを、陳列台上の積置き型商品の在庫管理に用いた例である。
【００７５】
本実施形態の非接触データキャリアシステムでは、図１５に示すように、陳列台５１上に板状のRFIDタグ５２が載置され、このRFIDタグ５２上に商品５３が積置きされている。この商品５３としては、本やお土産等がある。商品５３は、RFIDタグ５２上に積置きできるものであれば、材料、部品等でもよい。
【００７６】
積み置く商品の1個当たりの重量をあらかじめ測定しておき、測定された全体の重量から、何個積み置きされているかを算出して、管理する。
【００７７】
さらに、RFIDタグ５２には、ＬＥＤ表示器５４が設けられている。このＬＥＤ表示器５４は、管理パソコン１３からの選択で点灯すると共に、商品５３が設定値以下になったところで点灯するようになっている。これにより、商品５３の積み置きされた量が設定値以下になったら、管理パソコン１３に通知すると共に、ＬＥＤ表示器５４を点灯させて、商品５３の減少を通知する。
【００７８】
これにより、お土産品等の積み置きしている商品５３を、重量計によりその個数を容易にかつ常時、管理することができる。
【００７９】
また、ＬＥＤ表示器５４を点灯させることで、在庫量の減少した商品５３を容易に認識することができる。即ち、在庫場所、展示場所などを的確に把握することができる。
【００８０】
また、商品５３を手に持ったときの重量なし（重量がマイナス）の信号をカウントすることで、商品５３を手に持った回数を確認することができる。このため、商品５３が展示品等の場合は、その回数によって製品の感心度などの情報も収集することができる。
【００８１】
[第５実施形態]
次に、本発明の第５実施形態について説明する。本実施形態の非接触データキャリアシステムの構成は、上述した第１実施形態の非接触データキャリアシステムとほぼ同様であるため、ここでは同一部材には同一符号を付してその説明を省略する。
【００８２】
本実施形態は、図１６に示すように、非接触データキャリアシステムを、製品管理棚に用いた例である。ここでは、製品５６の重量により在庫を管理すると共に、製品５６の温度を管理している。具体的には、板状のRFIDタグ５７上に製品５６を横に並べて保管する。さらに、RFIDタグ５７に温度センサ５８及びＬＥＤ表示器５９が取り付けられている。温度センサ５８は、管理対象物である製品５６の温度の変化に応じて変化する感熱型の抵抗を備えて構成されている。ＬＥＤ表示器５９は、温度センサ５８で検出した温度が設定値を超えている場合または設定値に及ばない場合に、管理パソコン１３に通知すると共に、ＬＥＤ表示器５９を点灯させる。
【００８３】
設定温度は、各RFIDタグ５７毎に異ならせてもよく、同じでもよい。管理パソコン１３で各RFIDタグ５７の温度を設定することで、各RFIDタグ５７毎に異なる温度の管理をすることができる。
【００８４】
これにより、上記効果を奏することができると共に、個別の温度管理室等の大がかりな設備を必要とせずに容易に複数の製品５６の温度管理をすることができる。
【００８５】
［変形例］
上記各実施形態では、薬品・薬物・危険物の管理、棚管理、販売管理等に関するものとして説明したが、危険物取り扱い店、宝石等の高級品販売店、保管倉庫等の各種産業で、保管管理、在庫管理に利用することができる。
【００８６】
また、ビデオレンタル、CDレンタルの展示製品の管理、工場棚管理、在庫管理、資材管理、測定器管理、在庫数管理、部品管理、書架、倉庫等に本発明の非接触データキャリアシステムを用いることができる。
【００８７】
また、製品の賞味期限、病院カルテ、個別温度管理にも用いることができる。在庫位置のLED表示、ピッキング完了確認報告、センサによる在庫数量管理、センサによる個別温度管理、在庫製品のピッキング数量の表示等の種々の態様で、管理対象物を管理することができる。
【００８８】
また、上記重量センサ１６の重量センサ材２３としては、ゴム以外にバネを用いてもよい。即ち、重量センサ１６として感圧導電ゴムの例で説明したが、重量で抵抗値が変化する素子または電圧が変化する素子があれば使用することができる。例えば、重量で抵抗が変化するものとして、バネに可変抵抗を取り付けてもよい。
【図面の簡単な説明】
【００８９】
【図１】本発明の第１の実施形態に係る非接触データキャリアシステムの全体構成を示す構成図である。
【図２】従来の薬品管理例を示す模式図である。
【図３】従来の薬品管理例を示す模式図である。
【図４】本発明の第１の実施形態に係る薬品ビンの底面へのRFIDタグの取り付け例を示す図である。
【図５】本発明の第１の実施形態に係る薬品ビンの側面へのRFIDタグの取り付け例を示す図である。
【図６】本発明の第１の実施形態に係る重量センサを示す側面図である。
【図７】本発明の第１の実施形態に係る重量センサのRFIDタグを示すブロック図である。
【図８】本発明の第１の実施形態に係る重量センサのアナログインタフェース部を示すブロック図である。
【図９】本発明の第２の実施形態に係る薬品ビンを示す図である。
【図１０】本発明の第２の実施形態に係る薬品ビンを示す図である。
【図１１】本発明の第２の実施形態に係る薬品ビンを示す図である。
【図１２】本発明の第２の実施形態に係る中継型誘導アンテナの構成を示す構成図である。
【図１３】本発明の第３の実施形態に係る薬品ビンの構成を示す側面図である。
【図１４】本発明の第３の実施形態に係るRFIDタグを示すブロック図である。
【図１５】本発明の第４の実施形態に係る非接触データキャリアシステムの全体構成を示す斜視図である。
【図１６】本発明の第５の実施形態に係る非接触データキャリアシステムの全体構成を示す斜視図である。
【符号の説明】
【００９０】
１０：非接触データキャリアシステム、１１：RFIDタグ、１２：質問器、１３：管理パソコン、１５：薬品ビン、１６：重量センサ、１７：処理部、１８：アンテナ、２０：センサ固定板、２１：バネ質材、２２：センサ板台、２３：重量センサ材、３９：棚板部、２５：RFID送受信部、２６：不揮発性メモリ、２７：アナログインタフェース部、２８：デジタルI/O、２９：センサ接続線、３１：コンパレータ、３２：抵抗、３５：Ｒ／Ｗ、３６：アンテナスイッチ、３７：アンテナ、３８：管理棚、３９：棚板部。
【図１】
0004781072.tif 000002
【図２】
0004781072.tif 000003
【図３】
0004781072.tif 000004
【図４】
0004781072.tif 000005
【図５】
0004781072.tif 000006
【図６】
0004781072.tif 000007
【図７】
0004781072.tif 000008
【図８】
0004781072.tif 000009
【図９】
0004781072.tif 000010
【図１０】
0004781072.tif 000011
【図１１】
0004781072.tif 000012
【図１２】
0004781072.tif 000013
【図１３】
0004781072.tif 000014
【図１４】
0004781072.tif 000015
【図１５】
0004781072.tif 000016
【図１６】
0004781072.tif 000017